(57)【要約】      （修正有）【課題】立体画像表示装置側で３Ｄ画像を表示している時間を基準に視聴時間の制限を行う場合、観察者が一人の場合、また、複数の観察者の３Ｄ画像観察開始時刻が同一の場合は問題ないが、子供と大人で視聴制限時間を変更する場合や、複数の観察者の３Ｄ画像観察開始時刻が異なる場合であっても、個別の観察者に応じた所定の視聴制限時間を管理可能にする。【解決手段】立体画像表示装置側に、観察者を特定する観察者検出部と、観察者及び立体視用眼鏡のそれぞれの個別データを格納及び管理する観察者及び立体視用眼鏡データベースと、タイマー個別管理部を設け、観察者が立体画像連続視聴制限時間を経過した場合、前記立体画像連続視聴制限時間を超過した観察者が使用している立体視用眼鏡に対して、２Ｄ画像になるように自動的に指示する。【選択図】図１
2012213086.tif 000002
【特許請求の範囲】
【請求項１】
立体画像信号を表示部に表示可能な立体画像表示装置において、
前記立体画像を観察する観察者の個別データを登録するための観察者登録手段と、
前記立体画像を観察するための立体視用眼鏡の個別データを登録するための眼鏡登録手段と、
前記観察者の個別データと前記立体視用眼鏡の個別データとを管理する観察者及び立体視用眼鏡データベースと、
前記立体画像を観察する観察者を検出するための観察者検出部と、
前記観察者検出部において検出された観察者の立体画像連続視聴時間を計測するための第１のタイマーを観察者毎に管理するタイマー個別管理部とを備え、
前記観察者検出部では、前記表示部に向いている観察者と前記観察者の使用している立体視用眼鏡を前記観察者及び立体視用眼鏡データベースにより検出し、前記タイマー個別管理部では、検出された前記観察者毎に立体画像連続視聴時間を計測することを特徴とする立体画像表示装置。
【請求項２】
請求項１記載の立体画像表示装置であって、
前記観察者登録手段で登録された立体画像連続視聴制限時間を超えて前記立体画像を視聴している前記観察者に警告することを特徴とする立体画像表示装置。
【請求項３】
請求項２記載の立体画像表示装置であって、
前記立体画像信号を見るための同期信号と前記同期信号に重畳した制御信号とを送信する送信部とを備え、
観察者毎に計測した前記立体画像連続視聴時間が、前記立体画像連続視聴制限時間の所定時間前あるいは後に、前記送信部を用いて、前記観察者の使用している前記立体視用眼鏡に対して、前記所定時間前あるいは後に前記所定時間を経過する、あるいは経過したことを報知することを特徴とする立体画像表示装置。
【請求項４】
請求項１記載の立体画像表示装置であって、
前記立体画像信号を見るための同期信号と前記同期信号に重畳した制御信号とを送信する送信部とを備え、
観察者毎に計測した前記立体画像連続視聴時間が、立体画像連続視聴制限時間の所定時間前あるいは後に、前記送信部を用いて、前記観察者の使用している前記立体視用眼鏡に対して、前記所定時間前あるいは後に３Ｄ画像から２Ｄ画像への切り替え指示をすることを特徴とする立体画像表示装置。
【請求項５】
請求項３又は４記載の立体画像表示装置であって、
前記タイマー個別管理部は、前記観察者の３Ｄ画像を視聴していない連続休憩時間を計測する第２のタイマーを前記観察者毎に管理することが可能であって、
前記第２のタイマーは、前記立体画像連続視聴制限時間を経過した前記観察者の使用している前記立体視用眼鏡に対して、２Ｄ画像への切り替え指示後に起動し、
前記第２のタイマーが所定の連続休憩時間を経過した際には、前記観察者の使用している前記立体視用眼鏡に対して２Ｄ画像から３Ｄ画像への切り替え指示をすることを特徴とする立体画像表示装置。
【請求項６】
請求項５記載の立体画像表示装置であって、
前記第２のタイマーは、前記表示部に前記立体画像を表示していない期間も計測し続け、
所定の連続休憩時間を経過し、３Ｄ画像を視聴可能になった時に停止することを特徴とする立体画像表示装置。
【請求項７】
請求項３から請求項６記載の立体画像表示装置で表示される３Ｄ画像を見るための立体視用眼鏡であって、
右目用画像と左目用画像の表示タイミングに同期して送信される前記同期信号と、前記同期信号に重畳して送信される制御信号を受信し、分離することが可能な受信部と、
前記受信部で受信した前記同期信号に応じて、右目用シャッターと左目用シャッターの開閉を制御する同期回路とを備えることを特徴とする立体視用眼鏡。
【請求項８】
請求項７記載の立体視用眼鏡であって、
前記同期回路は、前記受信部で受信した制御信号により、２Ｄ画像表示を指示された場合には、左目用シャッターと右目用シャッターの開閉タイミングを前記右目用画像又は前記左目用画像のどちらか一方の表示タイミングにする切り替え手段を有することを特徴とする立体視用眼鏡。
【請求項９】
請求項７又は請求項８記載の立体視用眼鏡であって、
前記同期回路は、前記受信部が制御信号を受信している期間は、制御信号を受信する以前の前記同期信号に同期して、自走することを特徴とする立体視用眼鏡。
【請求項１０】
請求項７から請求項９記載の立体視用眼鏡であって、
前記立体画像連続視聴制限時間を経過したことを報知するための報知部とを備え、
前記受信した制御信号が、３Ｄ画像を観察する前記観察者の前記立体画像連続視聴時間が、前記立体画像連続視聴制限時間を経過したこと、或いは前記立体画像連続視聴制限時間の所定時間前であることを報知する制御信号である場合、前記報知部を用い、前記立体画像連続視聴制限時間の超過を報知することを特徴とする立体視用眼鏡。
【請求項１１】
請求項１又は２記載の立体視用眼鏡であって、
前記立体視用眼鏡の正面から撮影した際に他の前記立体視用眼鏡と画像判別可能な個別選別用マーク部を具備することを特徴とする立体視用眼鏡。
【請求項１２】
請求項１又は２記載の立体視用眼鏡であって、
前記立体視用眼鏡の着脱を検出するための着脱検知部を具備し、前記立体視用眼鏡を脱離したことを検知すると、前記立体視用眼鏡の電源をオフにすることを特徴とする立体視用眼鏡。
【請求項１３】
請求項７から請求項１０記載の立体視用眼鏡であって、
前記立体視用眼鏡の正面から撮影した際に他の前記立体視用眼鏡と画像判別可能な個別選別用マーク部を具備することを特徴とする立体視用眼鏡。
【請求項１４】
請求項７から請求項１１記載の立体視用眼鏡であって、
前記立体視用眼鏡の着脱を検出するための着脱検知部を具備し、前記立体視用眼鏡を脱離したことを検知すると、前記立体視用眼鏡の電源をオフにすることを特徴とする立体視用眼鏡。
【発明の詳細な説明】
【技術分野】
【０００１】
本発明は、複数の観察者が立体（３Ｄ）画像を観察する際に、観察者毎に視聴時間を管理する、立体画像表示装置及び立体視用眼鏡に関するものである。
【背景技術】
【０００２】
近年、普及し始めている３Ｄ画像は、両眼視差技術を基にして制作されている。例えば非特許文献１には、３Ｄ画像に関する技術説明と３Ｄ画像に関する安全基準について記載されている。人は、右目と左目の二つの視点からの画像信号を認識して、被写体が立体的なのかどうかを判断している。人の右目と左目の間の距離は、子供から大人の場合約５〜７ｃｍ離れている。そのため、それぞれの左右の目に入る画像は観察者の視点の違いの分だけ異なってくる。その違いは、被写体までの距離が近いと大きくなり、遠いと小さくなる。脳は、この両眼の視差を手がかりとして、被写体が立体であるかどうかを知覚するのである。
【０００３】
人は、視点が異なる画像を右目と左目それぞれに独立に与えることにより、画像に奥行きを感じさせることができる。液晶シャッター等の３Ｄ用眼鏡を用い、右目左目に独立に且つ定期的に画像を与えるようにしたのが両眼視差を利用した３Ｄディスプレイである。例えば、この原理のディスプレイに右目用と左目用の画像が順次表示されると、ディスプレイに表示された画像は立体感を持ち、ディスプレイ面に対し、前後に飛び出した立体画像として知覚できる。また、視差を大きくすると飛び出し量や引っ込み量が大きくなり、液晶シャッター等の３Ｄ用眼鏡を用いて、画像を見ている観察者に驚きと感動を与えることができる。
【０００４】
また、３ＤＴＶ用の３Ｄ用眼鏡には、３Ｄ画像から２Ｄ画像に切り替えを行うための切り替えスイッチがついたものも市販されている。これらの３Ｄ用眼鏡を掛け、３Ｄ画像を見ている観察者が、目が疲れてきた場合に自ら、そのスイッチをダブルクリックすることにより、見ている３Ｄ画像を強制的に２Ｄ画像に切り替えることができる。右目用と左目用の画像を交互に表示する３ＤＴＶで用いられる液晶シャッター付きのメガネでは、切り替えスイッチが押され、２Ｄ画像への切り替えが選択されると、左目用及び右目用のそれぞれの液晶シャッターは、右目用画像が表示されるタイミングか、左目用画像が表示されるタイミングかのどちらか一方のタイミングでシャッターが開かれ、右目用或いは左目用のどちらか一方の同じ画像を両眼で見ることになる。
【０００５】
特許文献１では、立体視の許容遊技時間が経過すると、立体画像を通常の平面画像に強制的に切り替える立体表示遊技機が開示されている。図６は、そのフロー図である。
【０００６】
また、特許文献２には、立体画像が表示される表示時間の経過にともない累積される該立体画像の立体強度の累積値が、累積立体強度閾値Ｌを超えた場合、３Ｄ画像から２Ｄ画像に切り替える立体画像表示装置が紹介されている。
【０００７】
図７は、立体画像の表示が開始されてからの時間に対する立体画像の累積立体強度の変化の概略と、累積立体強度閾値Ｌと、表示される画像の関係を示すグラフである。ｔ１は、立体画像の表示開始時点であり、観察者が立体画像を観察する開始時点である。立体画像の表示が開始されると所定時間毎に立体画像が表示されているか否かの確認が行われ、立体画像が表示されている場合、立体画像の立体強度のレベル値を累積立体強度に加算する。ｔ１からｔ２までは、所定時間毎に上記立体強度のレベル値が累積立体強度に時間の経過とともに階段状に加算される。立体強度のレベル値が一定の場合は加算される増分値も一定になる。図７では、ｔ２で立体強度のレベル値が変動している。ｔ３で累積立体強度が累積立体強度閾値Ｌに到達し、立体画像の連続表示制限が開始され、表示部に警告のメッセージと２Ｄ画像への切り替え用の「２Ｄ」ボタンが表示される。「２Ｄ」ボタンを押下されるまでは、立体強度のレベル値が累積立体強度に加算され、ｔ４で「２Ｄ」ボタンを押下されると、累積立体強度がリセットされ、２Ｄ画像に切り替わる。その後、所定の時間経過後には、３Ｄ画像の表示が可能になったことを通知するメッセージと、３Ｄ画像への切り替え用の「３Ｄ」ボタンが表示される。ｔ５で「３Ｄ」ボタンが押下され、再び、所定時間毎に上記立体強度のレベル値が累積立体強度に加算される動作が開始される。図7の累積立体強度は、所定時間毎に立体強度レベル値が階段状に加算される場合を説明しているが、比例直線のように常に一定の増分が保持される場合でも良いことが記載されている。
【先行技術文献】
【非特許文献】
【０００８】
【非特許文献１】“３ＤＣ安全ガイドライン”、［online］、平成２２年４月２０日、３Ｄコンソーシアム安全ガイドライン部会、［平成２２年６月８日検索］、インターネット〈URL:http://www.3dc.gr.jp/jp/scmt_wg_rep/3dc_guideJ_20100420.pdf〉
【特許文献】
【０００９】
【特許文献１】特開平７−１６３５１号公報
【特許文献２】特開２００４−３３４８３３号公報
【発明の概要】
【発明が解決しようとする課題】
【００１０】
しかしながら、３Ｄ画像を長時間連続して見ることは、眼精疲労を起こし、不快になったり、頭痛を引き起こしたりする要因となってしまう。同じ番組を複数の人が同時に見ている場合、全員が同一の３Ｄ番組を同一のタイミングで見始める際は、同一の観察時間となるため、特許文献１に記載されているように、立体画像表示装置側で、番組の開始から所定時間経過後に、３Ｄ画像を２Ｄ画像に強制的に表示切り替えてしまっても良いかもしれない。また、特許文献２のように累積立体強度が累積立体強度閾値Ｌを超えるまで３Ｄ表示し、累積立体強度閾値Ｌを超えた時点から連続表示制限が開始されるようにしても良いかもしれない。
ところが、同一番組を見ている複数の観察者が必ずしも同一時刻に番組を見始めるわけではない。このため、立体画像表示装置側で３Ｄ画像の表示開始時刻を観察開始時刻として、所定時間経過後、又は所定の累積立体強度閾値に到達以降に、２Ｄ画像に切り替えたり、３Ｄ画像の連続表示の制限をかけたりすることは、観察開始時刻の異なる複数の観察者が平等に３Ｄ時間を楽しめる時間を確保することはできない。更に、子供の観察者に対しては、３Ｄ画像を連続視聴できる時間を大人が見るより短く設定したいといった場合でも、立体画像表示装置側での表示時間を元に観察者全員の立体画像連続視聴時間を制限するため、子供だけではなく、大人も同じ立体画像連続視聴時間の制限を受けることになり、大人と子供の全ての観察者を満足させることはできない。
【課題を解決するための手段】
【００１１】
本発明に係る立体画像表示装置は、立体画像信号を表示部に表示可能な立体画像表示装置において、前記立体画像を観察する観察者の個別データを登録するための観察者登録手段と、前記立体画像を観察するための立体視用眼鏡の個別データを登録するための眼鏡登録手段と、前記観察者の個別データと前記立体視用眼鏡の個別データとを管理する観察者及び立体視用眼鏡データベースと、前記立体画像を観察する観察者を検出するための観察者検出部と、前記観察者検出部において検出された観察者の立体画像連続視聴時間を計測するための第１のタイマーを観察者毎に管理するタイマー個別管理部とを備え、前記観察者検出部では、前記表示部に向いている観察者と前記観察者の使用している立体視用眼鏡を前記観察者及び立体視用眼鏡データベースにより検出し、前記タイマー個別管理部では、検出された前記観察者毎に立体画像連続視聴時間を計測することを特徴とする。
【００１２】
本発明に係る立体画像表示装置は、前記観察者登録手段で登録された立体画像連続視聴制限時間を超えて前記立体画像を視聴している前記観察者に警告することを特徴とする。
【００１３】
本発明に係る立体画像表示装置は、前記立体画像信号を見るための同期信号と前記同期信号に重畳した制御信号とを送信する送信部とを備え、観察者毎に計測した前記立体画像連続視聴時間が、前記立体画像連続視聴制限時間の所定時間前あるいは後に、前記送信部を用いて、前記観察者の使用している前記立体視用眼鏡に対して、前記所定時間前あるいは後に前記所定時間を経過する、あるいは経過したことを報知することを特徴とする。
【００１４】
本発明に係る立体画像表示装置は、前記立体画像信号を見るための同期信号と前記同期信号に重畳した制御信号とを送信する送信部とを備え、観察者毎に計測した前記立体画像連続視聴時間が、立体画像連続視聴制限時間の所定時間前あるいは後に、前記送信部を用いて、前記観察者の使用している前記立体視用眼鏡に対して、前記所定時間前あるいは後に３Ｄ画像から２Ｄ画像への切り替え指示をすることを特徴とする。
【００１５】
本発明に係る立体画像表示装置の前記タイマー個別管理部は、前記観察者の３Ｄ画像を視聴していない連続休憩時間を計測する第２のタイマーを前記観察者毎に管理することが可能であって、前記第２のタイマーは、前記立体画像連続視聴制限時間を経過した前記観察者の使用している前記立体視用眼鏡に対して、２Ｄ画像への切り替え指示後に起動し、前記第２のタイマーが所定の連続休憩時間を経過した際には、前記観察者の使用している前記立体視用眼鏡に対して２Ｄ画像から３Ｄ画像への切り替え指示をすることを特徴とする。
【００１６】
本発明に係る立体画像表示装置の前記第２のタイマーは、前記表示部に前記立体画像を表示していない期間も計測し続け、所定の連続休憩時間を経過し、３Ｄ画像を視聴可能になった時に停止することを特徴とする。
【００１７】
本発明に係る立体視用眼鏡は、立体画像表示装置で表示される３Ｄ画像を見るための立体視用眼鏡であって、右目用画像と左目用画像の表示タイミングに同期して送信される前記同期信号と、前記同期信号に重畳して送信される制御信号を受信し、分離することが可能な受信部と、前記受信部で受信した前記同期信号に応じて、右目用シャッターと左目用シャッターの開閉を制御する同期回路とを備えることを特徴とする。
【００１８】
本発明に係る立体視用眼鏡の前記同期回路は、前記受信部で受信した制御信号により、２Ｄ画像表示を指示された場合には、左目用シャッターと右目用シャッターの開閉タイミングを前記右目用画像又は前記左目用画像のどちらか一方の表示タイミングにする切り替え手段を有することを特徴とする。
【００１９】
本発明に係る立体視用眼鏡の前記同期回路は、前記受信部が制御信号を受信している期間は、制御信号を受信する以前の前記同期信号に同期して、自走することを特徴とする。
【００２０】
本発明に係る立体視用眼鏡は、前記立体画像連続視聴制限時間を経過したことを報知するための報知部とを備え、前記受信した制御信号が、３Ｄ画像を観察する前記観察者の前記立体画像連続視聴時間が、前記立体画像連続視聴制限時間を経過したこと、或いは前記立体画像連続視聴制限時間の所定時間前であることを報知する制御信号である場合、前記報知部を用い、前記立体画像連続視聴制限時間の超過を報知することを特徴とする。
【００２１】
本発明に係る立体視用眼鏡は、前記立体視用眼鏡の正面から撮影した際に他の前記立体視用眼鏡と画像判別可能な個別選別用マーク部を具備することを特徴とする立体視用眼鏡。
【００２２】
本発明に係る立体視用眼鏡は、前記立体視用眼鏡の着脱を検出するための着脱検知部を具備し、前記立体視用眼鏡を脱離したことを検知すると、前記立体視用眼鏡の電源をオフにすることを特徴とする立体視用眼鏡。
【発明の効果】
【００２３】
本発明に係る立体画像表示装置及び立体視用眼鏡は、視聴制限時間を観察者毎に個別管理することが可能なので、観察者に応じた視聴時間制限を設け、観察者毎に３Ｄ画像の立体画像連続視聴制限時間を管理することが可能である。
【図面の簡単な説明】
【００２４】
【図１】本発明の一実施例に係る立体画像表示装置及び立体視用眼鏡の要部構成を示す機能ブロック図である。
【図２】本発明の一実施例に係る立体画像表示装置の概略構成を示す斜視図である。
【図３】本発明の一実施例に係る立体視用眼鏡の個別選別用マーク部ＭＫを説明するための図である。
【図４】本発明の一実施例に係る立体画像表示装置における同期信号と制御信号の送出タイミングを説明するための図である。
【図５】本発明の一実施例に係る立体視用眼鏡の装着及び離脱時の着脱検知部を説明するための図である。
【図６】従来の立体表示遊技機に係る遊技経過時間の表示動作を説明するフローチャートである。
【図７】従来の立体画像の累積立体強度の変化の概略を示すグラフである。
【発明を実施するための形態】
【００２５】
以下、本発明の一実施例を図面に基づいて詳述する。
【実施例】
【００２６】
図１は、一実施例に係る立体画像表示装置１００の要部構成を示す機能ブロック図と、立体視用眼鏡２００の要部構成を示す機能ブロック図である。
【００２７】
立体画像表示装置１００は、観察者と観察者が装着している立体視用眼鏡２００を特定するための観察者検出部１０１と、観察者及び立体視用眼鏡２００のそれぞれの固別データを格納及び管理する観察者及び立体視用眼鏡データベース１０２と、制御部１０３と、観察者検出部１０１において検出された観察者が３Ｄ画像を連続視聴している時間を計測するためのタイマーを観察者毎に管理するタイマー個別管理部１０４と、３Ｄ画像の右目用画像と左目用画像の表示タイミングに同期した同期信号や立体視用眼鏡２００の観察モードを３Ｄモードか２Ｄモードかを切り替える制御信号等を立体視用眼鏡２００に送信するための送信部１０５と、放送波を受信するためのチューナー部１０６と、外部からの入力信号を接続するための外部入力部１０７とから構成されている。
【００２８】
また、立体視用眼鏡２００は、立体画像表示装置１００からの前記同期信号及び前記制御信号を受信し、分離するための受信部２０１と、この受信部２０１で分離された前記同期信号を受信する同期回路２０２と、この受信部２０１で分離された制御信号を受信する制御部２０３と、３Ｄ画像の右目用画像を見るための右目用シャッター２０４と、３Ｄ画像の左目用画像を見るための左目用シャッター２０５と、観察者がメガネを装着したか脱離したかを検知する着脱検知部２０６と、立体画像連続視聴制限時間を経過したこと或いは立体画像連続視聴制限時間の所定時間前であることを報知するための報知部２０７から構成されている。メガネ１、メガネ２〜メガネｎ−１は、立体視用眼鏡２００の構成と同じ構成の立体視用眼鏡である。
【００２９】
立体画像表示装置１００のチューナー部１０６で受信した放送番組は、画像処理部１０８において、３Ｄ画像を含む番組か、２Ｄ画像を含む番組かを検出され、画像処理され、制御部１０３からの送出タイミングに応じて表示部１０９にその３Ｄ画像又は２Ｄ画像が表示される。受信している放送番組が２Ｄ画像の場合は、送信部１０５から立体視用眼鏡２００への同期信号の送出は不要のため、制御部１０３から送信部１０５へ同期信号の送信停止又は停止維持を指示する。また、受信している放送番組が３Ｄ画像の場合は、制御部１０３から送信部１０５へ同期信号の送信開始又は送信維持を指示する。
【００３０】
同様に、表示部１０９へ表示されるソース画像が外部入力部１０７の場合について記載する。チューナー部１０６からの放送番組ではなく、他の映像機器、例えばＢＤ・ＤＶＤプレイヤーやＣＡＴＶチューナー等からのソース画像である場合、画像処理部１０８は、３Ｄ画像を含むソース画像か、２Ｄ画像のみのソース画像かを検出する。３Ｄ画像の場合は、画像処理され、制御部１０３からの送出タイミングに応じて表示部１０９に３Ｄ画像が表示され、送信部１０５への同期信号の送信開始又は送信維持の指示も同様に行われる。２Ｄ画像のみのソース画像の場合は、外部入力部１０７に入力されたソース画像そのものが表示部１０９に表示され、送信部１０５には、同期信号が送信されている場合は送信停止又は停止維持を指示する。
【００３１】
また、画像処理部１０８は、制御部１０３に対して、ソース画像が３Ｄ画像なのか２Ｄ画像なのかを通知する。通知するタイミングは、ソース画像の切り替わりや放送番組の切り替わりのタイミングで行う。外部入力１０７に関しても、ＤＶＤやＢＤ等のコンテンツが切り替わった場合等に行われる。
【００３２】
更に、立体画像表示装置１００には、表示部１０９に表示されている３Ｄ画像又は２Ｄ画像を観察している観察者を検出するための観察者検出部１０１を設けてある。観察者検出部１０１は、観察者が装着している立体視用眼鏡２００の検出も行う。観察者検出部１０１は、観察者の顔や立体視用眼鏡２００を画像データとして撮影するためのカメラや撮影した画像データを特定の圧縮画像に符号化するための画像符号化回路や符号化作業用のメモリ等で構成されている。立体画像表示装置１００は、観察者検出部１０１を用いて、本装置を初めて使用する観察者の顔の画像データを撮影し、観察者を個別判定するための画像データを観察者及び立体視用眼鏡データベース１０２に格納する。
【００３３】
図示してはいないが、立体画像表示装置１００には、本装置を使用する観察者と本装置で使用する立体視用眼鏡２００を登録する観察者登録手段と眼鏡登録手段を備えている。例えば、リモコン等に観察者や立体視用眼鏡２００を登録するための登録ボタンを用意しても良い。登録ボタンが押下されると、「観察者登録」と「立体視用眼鏡登録」と「観察者及び立体視用眼鏡の両方登録」と「もどる」との選択画面が表示部１０９に表示される。観察者は立体視用眼鏡２００を装着した状態で立体画像表示装置１００の観察者検出部１０１の前面に行き、登録ボタン押下後、登録項目をリモコンにていずれか選択する。「もどる」ボタンが押されると登録関連の処理が中断され、最初の状態に戻る。「もどる」ボタン以外が押下されると観察者検出部１０１のカメラは、観察者や立体視用眼鏡２００等の被写体をズームアップしながら、適正な大きさの登録用画像データを撮る。
ここで、「観察者登録」が選択されている場合は、観察者検出部１０１では、カメラが捕らえている画像の中の映っている人間を検出し、その人物の全体が表示されるようにズーミングし画像を撮影する。また、顔の部分を抽出し、撮影するようにしても良い。更には、上半身の部分を撮影するようにしても良い。更には、観察者の指定する任意の大きさの画像を撮影しても良い。
また、「立体視用眼鏡登録」が選択されている場合は、観察者検出部１０１では、カメラが捕らえている画像の中の映っている観察者の顔を検出し、顔に装着されている立体視用眼鏡２００の部分をズームアップしながら、立体視用眼鏡の適正な大きさの登録用画像データを撮る。
更に、「観察者及び立体視用眼鏡の両方登録」が選択された場合は、「観察者登録」が選択されている場合と「立体視用眼鏡登録」が選択されている場合の両方の操作が順次行われる。優先順位は無いので、どちらを先に行っても良い。
【００３４】
撮影された画像データは、所定の画像圧縮符号化で圧縮された画像ファイルとして符号化作業用のメモリに暫定的に格納される。符号化作業用のメモリに格納された画像データは、表示部１０９に表示され、観察者及び立体視用眼鏡データベースに前記画像データを登録してよいか観察者に確認する。観察者より承諾があれば、表示部１０９に表示された画像データが、「観察者登録」用画像データ又は「立体視用眼鏡登録」用画像データとして、制御部１０３により、観察者及び立体視用眼鏡データベース１０２の所定の領域に格納される。登録用画像データに使用される画像圧縮符号化方式は、ＪＰＥＧ、ＴＩＦＦ、ＧＩＦ，ＰＤＦ等いずれの符号化方式を用いても良い。
【００３５】
尚、上記では、観察者が立体視用眼鏡２００を装着した状態で、観察者と立体視用眼鏡２００を登録する方法を記載したが、観察者と立体視用眼鏡２００を別々に登録しておき、立体画像表示装置１００を観察している観察者を検索する際に、立体視用眼鏡２００を装着していない観察者の画像データと、立体視用眼鏡２００の画像データを合成して、検索用のデータを作成するようにしても良い。
【００３６】
更に、観察者登録手段と眼鏡登録手段には、観察者及び立体視用眼鏡２００の画像データを登録するだけではなく、観察者及び立体視用眼鏡２００の他の個別データについても、観察者が入力できるようにメニュー形式のインタフェースを用意しても良い。例えば、観察者の個別データとしては、観察者の画像データの他に、登録された観察者のデータを管理するための観察者登録番号、観察者が３Ｄモードと２Ｄモードのどちらのモードで映像を視聴するかを選択するためのモード選択、氏名、年齢、立体画像連続視聴制限時間、連続休憩時間等の項目が考えられる。立体視用眼鏡２００の個別データとしては、立体視用眼鏡２００の画像データの他に、登録された立体視用眼鏡のデータを管理するための立体視用眼鏡登録番号、マーク位置等の項目が考えられる。立体視用眼鏡２００の個別データに関しては、観察者がメニュー等を開いて、必要項目のみを入力する様にしても良い。また、個別データを格納した２次元バーコードをシール等にしてメガネの一部に貼ったり、保証書や取扱説明書等に印刷しておいた２次元バーコードを観察者検出部１０１のカメラで取り込んで、解析し、立体視用眼鏡２００の個別データとして観察者及び立体視用眼鏡データベース１０２に取り込むようにしても良い。
【００３７】
以上、ここでは、リモコンに登録ボタンを設けた例を説明したが、リモコンのオプションボタン等が押されると表示部１０９に観察者や立体使用眼鏡を登録するためのメニューが表示されるようにして、項目毎に選択して、データを個別入力できるようにしても良い。
【００３８】
図２は、本発明の実施例に係る立体画像表示装置１００の概略構成を示す斜視図である。観察者Ｈ１〜観察者Ｈ３は、立体画像表示装置１００で３Ｄ画像を観察する際、表示されている３Ｄ画像をそのまま３Ｄ画像として見たいと要望している人である。また、観察者Ｈ４は、３Ｄ画像を３Ｄ画像として認識できないため、表示画像が２Ｄ画像のみを要望している人である。このうち、観察者Ｈ１、観察者Ｈ２、観察者Ｈ４は、大人であり、観察者Ｈ３は、子供である。
【００３９】
続いて、観察者検出部１０１の動作について詳細に記載する。観察者検出部１０１では、表示部１０９に３Ｄ画像が表示されている場合、定期的に観察者の画像を撮影し、撮影されている人物を抽出する。また、表示部１０９に２Ｄ画像が表示されている場合でも、チューナー部１０６或いは外部入力部１０７からのソース画像が３Ｄ画像である場合には定期的に観察者の画像を撮影し、撮影されている人物を抽出する。尚、チューナー部１０６或いは外部入力部１０７からのソース画像自体が２Ｄ画像である場合は、立体視用眼鏡２００を必要としないので、観察者の撮影や人物の抽出作業は行わない。
【００４０】
観察者検出部１０１は、観察者を撮影した画像より抽出した人物が、登録されている立体視用眼鏡２００を装着しているかどうかを検出する。立体視用眼鏡２００の装着を検出した結果、全ての観察者が立体視用眼鏡２００を装着していないと判断した際、観察者検出部１０１は、制御部１０３に対して、立体視用眼鏡２００を使用している観察者がいないことを通知する。制御部１０３は、観察者検出部１０１からの通知を受け、画像処理部１０８に対して２Ｄ画像を表示するように指示する。画像処理部１０８は、制御部１０３からの指示により、表示部１０９に、３Ｄ画像の右目用画像又は左目用画像のどちらか一方を表示するようにする。
また、立体視用眼鏡２００を装着している観察者がいる場合は、観察者検出部１０１は、制御部１０３に対して、立体視用眼鏡２００を使用している観察者がいることを通知し、観察者及び立体視用眼鏡データベース１０２から観察者及び立体視用眼鏡２００の照合用の画像データを取り出すように指示する。制御部１０３は、観察者検出部１０１からの指示を受け、画像処理部１０８に対して３Ｄ画像を表示するように指示する。画像処理部１０８は、制御部１０３からの指示により、表示部１０９に、３Ｄ画像の右目用画像又は左目用画像を交互に表示するようにする。
【００４１】
続いて、制御部１０３は、観察者及び立体視用眼鏡データベース１０２に対して登録されている観察者及び立体視用眼鏡２００の照合用の画像データを観察者登録番号又は立体視用眼鏡登録番号順に取り出す。
【００４２】
まず、立体視用眼鏡２００の照合用画像データを立体視用眼鏡登録番号順に取り出し、観察者検出部１０１に送付される。観察者検出部１０１では、制御部１０３からの立体視用眼鏡２００の照合用画像データと観察者検出部１０１のカメラで撮影した立体視用眼鏡２００の画像データを比較し、立体視用眼鏡登録番号のどの立体視用眼鏡２００か特定する。
【００４３】
尚、立体視用眼鏡２００には、個別判定を行うため、予め個別選別用マーク部を取り付けたものが用意され、登録されている。図２に記載してあるように観察者検出部１０１のカメラは、立体画像表示装置１００の上部の位置に設置され、表示部１０９を見ている観察者Ｈ１から観察者Ｈ４を正面から撮影できるようになっている。それぞれの観察者Ｈ１から観察者Ｈ４が装着しているメガネ１からメガネ４も同時に正面から撮影できるようになっている。
【００４４】
また、タイマー個別管理部１０４は、観察者検出部１０１において検出された観察者が３Ｄ画像を連続視聴している時間を計測するためのタイマーを観察者Ｈ１から観察者Ｈ４毎に管理している。観察者検出部１０１では、観察者Ｈ１から観察者Ｈ４と観察者が使用している立体視用眼鏡２００と同じ構成のメガネ１からメガネ４をそれぞれ検出することが可能であり、タイマー個別管理部１０４は、どの観察者がどのメガネを使用して、どれくらいの時間、３Ｄ画像を連続して視聴しているかを計測している。観察者が途中でメガネを交換して別のメガネで３Ｄ画像を見た場合でも、タイマー個別管理部１０４では、観察者検出部１０１の検出結果により観察者が誰なのかを把握しているため、立体画像を連続視聴している時間を計測するタイマーは、観察者がどのメガネを使用して３Ｄ画像を楽しんだとしても、３Ｄ画像を見ている間は、リセットされずに計測を続ける。
【００４５】
タイマー個別管理部１０４は、観察者が３Ｄ画像の視聴開始時点に、観察者及び立体視用眼鏡データベース１０２から観察者の個別データを抽出、その中から立体画像連続視聴制限時間や連続休憩時間を検索し、その値を参照データとして、それぞれ保持する。タイマー個別管理部１０４は、観察者が３Ｄ画像の視聴開始から、観察者の立体画像連続視聴時間を計測するタイマーの値が、立体画像連続視聴制限時間の参照データを超過しているかどうかを随時比較し、確認する。超過した場合、制御部１０３に対して立体画像連続視聴制限時間を超過したことを通知する。制御部１０３は、観察者に対して警告を発する。
【００４６】
警告の方法としては、何通りか考えられる。例えば、表示部１０９に観察者の画像データを表示し、或いは警告対象の観察者がその時点で使用している立体視用眼鏡の画像データを表示する方法である。或いは、各観察者又は各立体視用眼鏡のアイコンをそれぞれ登録しておく。登録された観察者又は立体視用眼鏡のアイコンは、それぞれの観察者が３Ｄ画像を見ているときには、画面の一部に表示され、同様に立体視用眼鏡が３Ｄ画像を見るのに使用されている場合には、画面の一部に表示される。画面の一部に表示された観察者の画像データ或いは警告対象の観察者がその時点で使用している立体視用眼鏡の画像データ、又は、画面の一部に表示された各観察者のアイコン或いは各立体視用眼鏡のアイコン等が点滅表示したり、配色が赤に変わって立体画像連続視聴制限時間を超えていることを通知するようにしても良い。或いは、表示画面上にＯＳＤで立体画像連続視聴時間を超過した観察者の情報、例えば氏名等を表示して、立体画像連続視聴制限時間を超えていることを通知するようにしても良い。更には、音声や警告音、ＬＥＤ等の点灯で警告する方法も考えられる。尚、ここでは、タイマー個別管理部１０４は、制御部１０３に対して立体画像連続視聴制限時間を超過したことを通知するように説明したが、立体画像連続視聴制限時間の所定時間前に通知する様にしても良い。この場合、立体画像連続視聴制限時間を超えた場合と異なるように表示する。例えば、観察者のアイコンを別々の物を用意して切り替えるようにしても良い。また、配色を赤では無くて黄色に変わって立体画像連続視聴制限時間の所定時間前で知らせるようにしても良い。
【００４７】
更に、立体視用眼鏡２００に報知部２０７を設け、観察者に直接、立体画像連続視聴制限時間の超過を報知する方法も考えられる。以下にその例を説明する。
【００４８】
制御部１０３は、タイマー個別管理部１０４から、立体画像連続視聴制限時間の所定時間前に警告対象の観察者とその時点でその観察者が使用している立体視用眼鏡の通知を受ける。制御部１０３は、警告対象の観察者が使用している立体視用眼鏡２００に対して送信部１０５より、同期信号に重畳して、所定時間後に立体画像連続視聴制限時間を超過することを通知する制御信号を送信する。この信号により立体視用眼鏡２００が２Ｄモードに切り替わるようにしても良いし、所定時間後に立体画像連続視聴制限時間を超過することを通知する制御信号を送信した後、立体画像連続視聴制限時間の超過とともに２Ｄモードへの切り替え指示の制御信号を送信する様にしても良い。
【００４９】
立体視用眼鏡２００の受信部２０１は、右目用画像と左目用画像の表示タイミングに同期して送信される同期信号と、前記同期信号に重畳して送信される制御信号を受信し、分離する。受信した制御信号は、制御部２０３に転送され解析される。制御信号が立体画像連続視聴制限時間の超過を通知する信号であると判断すると、制御部２０３は、報知部２０７を用い、立体視用眼鏡２００を使用している観察者に立体画像連続視聴制限時間の超過を報知する。報知部２０７は、音声や警告音、ＬＥＤ等の点灯で、観察者に報知する様にしても良いし、小型のモーターで構成し、振動する様にしても良い。更には、右目用シャッター２０４や左目用シャッター２０５の開閉周期を特殊なパターンにして報知する様にしても良い。
更に、制御部２０３は、立体画像連続視聴制限時間の超過を通知する信号を受信した後、所定時間経過後に、同期回路２０２へ、３Ｄモードから２Ｄモードに自動的に切り替える。また、立体画像連続視聴制限時間の超過とともに立体画像表示装置１００の制御部１０３から送信部１０５を経由して送信される２Ｄモードへの切り替え指示の制御信号を受信した後、立体視用眼鏡２００の制御部２０３は、同期回路２０２へ、３Ｄモードから２Ｄモードの切り替え指示を行い、２Ｄモードで動作する様にしても良い。
【００５０】
また、タイマー個別管理部１０４は、複数の観察者が３Ｄ画像を連続視聴している時間を計測するための観察者毎の第１のタイマーの他に、複数の観察者が３Ｄ画像を視聴していない連続休憩時間を計測するための観察者毎の第２のタイマーの２種類のタイマーを管理している。
【００５１】
第１のタイマーは、それぞれの観察者が３Ｄ画像を長時間視聴してしまい、眼精疲労を起こさないようにするためのタイマーであり、画像処理部１０８からの画像情報と、観察者検出部１０１による検出結果から、検出された観察者は３Ｄ画像を視聴していると制御部１０３が判断した時点で、制御部１０３は第１のタイマーの計測開始の指示をタイマー個別管理部１０４に行う。
また、第１のタイマーは、立体画像連続視聴制限時間の超過を対象の観察者に報知したり、対象の観察者が使用している立体視用眼鏡の視聴モードを３Ｄモードから２Ｄモードに切り替えるための制御信号を送信するための判断に使用されるタイマーでもある。
【００５２】
複数の観察者が３Ｄ画像を視聴していない連続休憩時間を計測するための観察者毎の第２のタイマーは、立体画像表示装置１００の観察者検出部１０１で検出した観察者が３Ｄ画像を視聴しているモードから、３Ｄ画像を見ていない状況になった時に開始されるタイマーである。例えば、３Ｄ画像を見ていたが、用事があり、席を外してしまった時や、３Ｄ画像を視聴していたが、途中から２Ｄ画像を見始めた場合、立体視用眼鏡を外している場合等である。更に、前記第２のタイマーは、第１のタイマーによって計測した連続視聴時間が立体画像連続視聴制限時間を超過した観察者使用の立体視用眼鏡２００に対して、２Ｄ画像を見るための２Ｄモードへの切り替え指示の制御信号を制御部１０３が送信した直後に起動されるタイマーでもある。
【００５３】
更に、本発明の立体画像表示装置の電源がオフにされた場合も、観察者が３Ｄ画像を視聴していない状況であり、前記第２のタイマーの計測対象に含まれる。従って、既に第２のタイマーが起動中の場合はもちろんのこと、３Ｄ画像を見ている時に突然、電源をオフにされた場合も含まれる。本装置の電源がオフの場合、第２のタイマーはバックアップ用の電源を用いて作動し、３Ｄ画像を視聴後、所定の連続休憩時間が経過するまで計測を続ける。但し、２Ｄ画像を見ている時に電源をオフにされた場合は、３Ｄ画像を視聴後、全ての観察者用の第２のタイマーが、既に所定の連続休憩時間が経過し、停止状態の場合についてはこの限りではない。尚、この機能は、観察者が本装置の電源を故意にオフすることにより第２のタイマーをリセットさせ、連続休憩時間が経過しないうちに、再び３Ｄ画像を連続で見続けることが無いようにするためのものである。この機能をオンオフするスイッチを本装置の初期設定の項目に入れ、パスワード等を用いて管理する様にしても良い。
また、所定の連続休憩時間が経過した後に、対象の観察者が使用している立体視用眼鏡の視聴モードを２Ｄモードから３Ｄモードに切り替えるための制御信号を送信するための判断に使用されるタイマーでもある。
【００５４】
この第２のタイマーで計測している所定の連続休憩時間が経過すると、タイマー個別管理部１０４は、制御部１０３に対して、対象の観察者の第２のタイマーが所定の連続休憩時間が経過したことを知らせ、制御部１０３は、第２のタイマーを停止する。そして、制御部１０３は、同じ観察者の動作している第１のタイマーを、リセットして、すなわち時間０としてから、第１のタイマーを停止させる。第１のタイマーは、ユーザが所定の連続休憩時間を経過しない場合は解除されないようにしている。更に、制御部１０３は、第１のタイマーによって計測した連続視聴時間が立体画像連続視聴制限時間を超過した観察者使用の立体視用眼鏡２００に対して設定している２Ｄ画像を視聴する２Ｄモードから、再び、３Ｄ画像を視聴するための３Ｄモードに立体視眼鏡の視聴モードを切り替えるための制御信号を送信し、観察者が再び３Ｄ画像を見られるようにしている。
【００５５】
これらの立体画像連続視聴制限時間や連続休憩時間は、観察者及び立体視用眼鏡データベース１０２の観察者の個別データに登録しても良いし、全ての観察者に対して同じ時間を設定する様にしても良い。また、観察者の年齢に応じて、立体画像連続視聴制限時間や連続休憩時間を設けるようにしても良い。例えば、１５歳以下の子供は、立体画像連続視聴制限時間が１時間・連続休憩時間が１０分、１５歳を超える場合は、立体画像連続視聴制限時間が２時間・連続休憩時間が１５分以上といった具合である。尚、本実施例では、立体画像連続視聴制限時間や連続休憩時間を観察者及び立体視用眼鏡データベース１０２の個別データに登録する例として記載してある。
【００５６】
図３は、本発明の実施例に係る立体視用眼鏡２００の個別選別用マーク部ＭＫを説明するための図である。図３（ａ）には、個別選別用マーク部ＭＫとして、メガネのセンター部分に図示されているように選別用のそれぞれ異なる形状のマークを貼り付ける実施例が記載されている。また、図３（ｂ）には、個別選別用マーク部ＭＫとして、メガネのレンズ周辺部分に選別用のそれぞれ異なる本数のマークを貼り付ける実施例が記載されている。また、図３（ｃ）には、個別選別用マーク部ＭＫとして、メガネのフレーム部分を正面から見た時にフレームの形状で識別できるようにフレームの側面にそれぞれ異なる個数の三角形のマークを貼り付ける実施例が記載されている。また、図３（ｄ）には、個別選別用マーク部ＭＫとして、メガネのフレーム部分を正面から見た時にフレームの形状で識別できるようにフレームの側面のそれぞれ異なる位置に四角形のマークを貼り付ける実施例が記載されている。
【００５７】
観察者検出部１０１では、登録されている立体視用眼鏡２００と比較した結果、照合したものがあれば、立体視用眼鏡２００の立体視用眼鏡登録番号を作業用メモリに格納する。
【００５８】
次に、観察者の照合用画像データを観察者登録番号順に取り出し、観察者検出部１０１に送付される。観察者検出部１０１では、制御部１０３からの観察者の照合用画像データと観察者検出部１０１のカメラで撮影した観察者の画像データを比較し、観察者登録番号のどの観察者か特定する。
【００５９】
観察者が複数いる場合は、上記の立体視用眼鏡２００の特定と観察者の特定の作業を繰り返し行い、観察者の観察者登録番号と立体視用眼鏡２００の立体視用眼鏡登録番号の組み合わせを作業用メモリに格納していく。全ての観察者の特定処理が終わったら、観察者検出部１０１は、作業用メモリに格納しておいた観察者の観察者登録番号と立体視用眼鏡２００の立体視用眼鏡登録番号の組み合わせの情報を制御部１０３に転送する。制御部１０３は、観察者検出部１０１から転送された観察者の観察者登録番号と立体視用眼鏡２００の立体視用眼鏡登録番号の組み合わせの情報を元に、観察者及び立体視用眼鏡データベース１０２から特定した観察者の観察者登録番号に応じたモード選択に関する個別データを呼び出し、そのモード選択が、３Ｄモードが設定されているのか２Ｄモードが設定されているのかを判断して、送信部１０５より、該当する立体視用眼鏡２００に対して制御信号を送信する。制御信号は同期信号に重畳して送信される。
【００６０】
尚、観察者及び立体視用眼鏡データベース１０２に登録されていない観察者や立体視用眼鏡２００を検出した場合、表示部１０９に観察者検出部１０１のカメラで撮影した観察者及び立体視用眼鏡２００の画像データを表示して、登録を促すように『未登録です、すぐに登録願います』等のメッセージを観察者及び立体視用眼鏡２００の画像データと併記する様にしても良い。未登録者への報知は、表示部１０９の一部にアイコン等を表示する様にしても良い。
【００６１】
図４は、本発明の実施例に係る立体画像表示装置１００における同期信号と制御信号の送出タイミングを説明するための図である。
図４（ａ）は、表示部１０９に表示される３Ｄ画像の表示用画像信号である立体画像信号の表示タイミングを示している。立体画像信号は、右目用画像信号と左目用画像信号により構成され、表示部１０９に右目用画像信号と左目用画像信号が交互に表示される。図４（ｂ）は表示用画像信号に同期した同期信号であり、右用画像信号が表示部１０９に表示されている時にはＨ、左目用画像信号が表示されている場合にはＬとなる。制御信号は、この同期信号に重畳して送信される。ここに表示した例は、右目画像と左目画像が表示されている１サイクルの区間に制御信号送出区間を設けたものである。この区間の長さは、１サイクルによらず複数のサイクルの区間で送出しても良い。図４（ｃ）は同期回路２０２から右目用シャッター２０４に送信されるシャッターの開閉を制御するための同期信号である。Ｈの時、シャッターが開き、観察者の右目では右目用の画像を見ることができる。Ｌの時は、シャッターが閉じ、観察者の右目では左目用の画像は見ることができない。図４（ｄ）は同期回路２０２から左目用シャッター２０５に送信されるシャッターの開閉を制御するための同期信号である。Ｈの時、シャッターが開き、観察者の左目では左目用の画像を見ることができる。Ｌの時は、シャッターが閉じ、観察者の左目では右目用の画像は見ることができない。
【００６２】
また、立体視用眼鏡２００の同期回路２０２は、制御部２０３からの制御信号により、３Ｄ画像を見るためのモードか、２Ｄ画像を見るためのモードかのモード切り替えが行われる。
３Ｄ画像を見るためのモードが設定されていれば、立体視用眼鏡２００の同期回路２０２は、受信部２０１で受信した同期信号に同期して、右目画像を見るための右目用シャッター２０４と左目用画像を見るための左目用シャッター２０５の開閉タイミングの制御を行っている。同期信号を受信している間は、受信した同期信号に合わせて、右目用シャッター２０４と左目用シャッター２０５の開閉を行い、同期信号に制御信号が含まれてくる制御信号送出区間の間は、同期信号が入手できないため、制御信号送出区間前に受信している同期信号を維持し、同期信号が自走するように構成されている。
【００６３】
図５は、本発明の実施例に係る立体視用眼鏡２００の装着及び離脱時の着脱検知部２０６を説明するための図である。着脱検知部２０６を立体視用眼鏡２００の３つの部分にそれぞれ取り付けた場合の例を示している。図５（ａ）は着脱検知部２０６が鼻当ての部分にある場合である。この場合、小さなプッシュスイッチ、或いは、左右の鼻当ての部分に電流が流れるかどうかを検知し、観察者が立体視用眼鏡２００を装着したのか離脱したのかを判定する。図５（ｂ）は、着脱検知部２０６が立体視用眼鏡２００のフレームの頭部の肌に触れる部分（つるの内側）にある場合で、頭部の肌の静電容量を検知し、観察者が立体視用眼鏡２００を装着したのか離脱したのかを判定する。図５（ｃ）は、着脱検知部２０６が立体視用眼鏡２００のフレームの耳が当たる部分（つるの下側）、即ちフレームが耳の上に乗る部分にある場合で、この場合、小さなプッシュスイッチ、或いは、静電容量を検知し、着脱を検知するセンサーを設けて、観察者が立体視用眼鏡２００を装着したのか離脱したのかを判定する。
【００６４】
着脱検知部２０６を図５（ａ）から図５（ｃ）のように構成することにより、観察者が立体視用眼鏡２００を装着すると、着脱検知部２０６が装着されたことを検出し、立体視用眼鏡２００の各回路への電源供給が行われる。立体視用眼鏡２００は、初期設定されて、３Ｄ画像を見ることができる３Ｄモードで立ち上げられる。また、離脱が検出されると立体視用眼鏡２００の各回路への電源供給が停止される。
【００６５】
本発明の立体画像表示装置１００で３Ｄ画像を表示する際、観察者Ｈ１〜Ｈ４は、本発明の立体視用眼鏡２００で構成されるメガネ１〜４をそれぞれ装着した場合、観察者Ｈ１〜Ｈ３は、個別データに応じて、３Ｄ画像をそのまま３Ｄ画像として見ることが可能になる。また、観察者Ｈ４は、個別データに応じて、メガネ４を装着して、３Ｄ画像を２Ｄ画像として見ることが可能になる。
【００６６】
このように３Ｄ画像を観察する観察者の要望に応じて、立体画像表示装置１００から立体視用眼鏡２００に対して自動的に３Ｄモード／２Ｄモードの切り替え指示が送信されるので、３Ｄ画像を見ることができない人や見たくない人は、他の観察者が３Ｄ画像を見ていても、自分自身だけ２Ｄ画像を見ることができる。そして、３Ｄ画像を見ることができない人や見たくない人は、３Ｄ画像が表示されるたびに、立体視用眼鏡２００をかけた後に２Ｄ表示の選択をその都度する必要がなく、快適に２Ｄ画像を見ることができる。また、本発明の立体画像表示装置１００で３Ｄ画像を見ようとしている観察者が、全員が立体視用眼鏡２００を着用していない場合、また、立体視用眼鏡２００を着用している全員が２Ｄ画像を要望する観察者である場合は、立体画像表示装置１００は、３Ｄ画像の右用目用画像又は左目用画像のどちらか一方を表示部に出力するので、観察者は、立体視用眼鏡２００を着用せずに快適に２Ｄ画像を観察することが可能であり、大変使い勝手が良い。
【００６７】
更に、本発明の立体画像表示装置１００では、観察者毎に３Ｄ画像を連続視聴している時間を計測しており、観察者毎に個人データに設定されている立体画像連続視聴制限時間を超過する所定時間前に、警告は発せられるので、都度、休憩時間をとることができ、ついつい長時間見てしまい眼精疲労になってしまうことが無いように快適に３Ｄ画像をみることができる。
【００６８】
更に、視聴時間は、観察者毎に計測しているので、立体視用眼鏡を変えても、３Ｄ画像を立体画像連続視聴制限時間以上に連続視聴できないようにしてあるので安心である。
【００６９】
更に、３Ｄ画像を見ていない時間を計測し、３Ｄ画像を見ない連続休憩時間を取ることができ、連続休憩時間経過後は、自動的に立体画像連続視聴時間を制限するタイマーをリセットできるので便利である。
【００７０】
また、立体画像連続視聴時間や連続休憩時間を観察者毎に管理できるため、本立体画像表示装置を用いて３Ｄ画像を見る場合、例えば観察者が子供の場合等、立体画像連続視聴時間を１時間、連続休憩時間１０分と言うような制限を設定し、子供を強制的に休憩させることができるので子供達だけでの視聴であっても安心である。
【００７１】
以上、実施例は、全ての点で例示であって、必ずしもこれらに限定されるものではない。例えば、本実施の形態では、立体画像表示装置及び立体視用眼鏡について例示したが、３Ｄの画像信号と同期信号を出力し、この同期信号を受信し、立体視できる眼鏡を用いて観察者に立体画像を提供することができれば良く、立体画像表示装置及び立体視用眼鏡に限定されるものではない。本発明は、立体画像表示装置及び立体視用眼鏡以外にも、３Ｄテレビ、３Ｄプロジェクター、デジタルビデオレコーダー、携帯型ムービープレイヤー、携帯電話、カーナビゲーションシステム、携帯型又は据置型ＢＤ・ＤＶＤプレイヤー、ＰＣ等の３Ｄ画像信号を出力又は表示可能な機器について広く適用できる。
【産業上の利用可能性】
【００７２】
本発明にかかる立体画像表示装置及び立体視用眼鏡は、観察者毎に視聴時間を計測し、管理できるので、個別の観察者の視聴時間に応じて、３Ｄ画像または２Ｄ画像を自動切り替えを実現することに関するものである。
【符号の説明】
【００７３】
１００  立体画像表示装置
１０１  観察者検出部
１０２  観察者及び立体視用眼鏡データベース
１０３、２０３  制御部
１０４  タイマー個別管理部
１０５  送信部
１０６  チューナー部
１０７  外部入力部
１０８  画像処理部
１０９  表示部
２００、メガネ１〜メガネｎ  立体視用眼鏡
２０１  受信部
２０２  同期回路
２０４  右目用シャッター
２０５  左目用シャッター
２０６  着脱検知部
２０７  報知部
ＭＫ  個別選別用マーク部
観察者Ｈ１〜観察者Ｈ４  観察者
【図１】
2012213086.tif 000003
【図２】
2012213086.tif 000004
【図３】
2012213086.tif 000005
【図４】
2012213086.tif 000006
【図５】
2012213086.tif 000007
【図６】
2012213086.tif 000008
【図７】
2012213086.tif 000009